(57)【要約】【課題】部品点数を減らすことを目的とする。また、ケースと天井面との間、及び、ケースとカバーとの間の気密性を高めることを目的とする。【解決手段】ケース２と天井面４の間、及び、ケース２とカバー３との間をコ字状に形成された１本のパッキン１により塞ぐ。また、パッキン１と天井面４及びカバー３とそれぞれの接触箇所の形状を、その密着性に基づき形成する。さらに、ケース２の角において、曲げられたパッキン１にしわがよらない形状とする。【選択図】図４
2007273147.tif 000002
【特許請求の範囲】
【請求項１】
取付面に対して埋め込まれて取付されるケースと、上記ケースの開口部を覆うように着脱可能に取付けられるカバーとを備える照明器具において、
上記取付面と上記ケースとの間のパッキン及び上記ケースと上記カバーとの間のパッキンであり、上記ケースの上記開口部側の端部であるケース枠の周囲に装着する一本のパッキン
を備えることを特徴とする照明器具。
【請求項２】
上記パッキンは、上記取付面と面で接触し、上記カバーと線で接触することを特徴とする請求項１記載の照明器具。
【請求項３】
上記ケース枠は、略四角形を形成し、上記四角形のコーナーの部分であるコーナー部が弧状であることを特徴とする請求項１記載の照明器具。
【請求項４】
上記パッキンは、取付面との接触部とカバーとの接触部と取付面との接触部とカバーとの接触部との間の背部とを有し、断面が略コ字状をしており、上記取付面との接触部から背部へ取付面との間に空間を形成する肩部を備えることを特徴とする請求項１記載の照明器具。
【請求項５】
上記肩部は、上記取付面との接触部から背部へ所定の傾斜により形成されることを特徴とする請求項４記載の照明器具。
【請求項６】
天井面に埋め込まれるケースと、
ケース周囲に設けられケース周囲にある天井面を覆うケース枠と、
ケース枠を覆うカバーと、
ケース枠の周囲に装着され、天井面とケース枠との間とケース枠とカバーとの間とに挟まれる略コ字状のパッキンと
を備えることを特徴とする照明器具。
【発明の詳細な説明】
【技術分野】
【０００１】
本発明は、例えば、クリーンルーム等の気密性が要求される空間に使用される照明器具に関する技術である。
【背景技術】
【０００２】
ランプと点灯装置とを内蔵し、天井面（取付面）に空けられた取付穴に対して埋め込まれて取付けられる照明器具において、気密性を確保するために、ケースと天井面との間、また、照明器具のケースと照明器具のカバーとの間に取り付けられるパッキンがある。上記パッキンは、天井面と照明器具のケースとが当接する面毎、及び、照明器具のケースと照明器具のカバーとが当接する面毎に取り付けられる。また、各パッキンの間は接着剤等で埋めることにより気密性を確保する。
【特許文献１】特開２０００−２１５７２４号公報
【発明の開示】
【発明が解決しようとする課題】
【０００３】
天井面と照明器具のケースとが当接する面毎、及び、照明器具のケースと照明器具のカバーとが当接する面毎にパッキンを取り付けるため、部品点数が多くなるという課題がある。また、各パッキンの間は気密性を確保するために接着剤で埋める必要があり、作業精度によっては気密性を低下させるとともに接着工数がかかるという課題がある。
本発明は、例えば、部品点数を減らすことを目的とする。また、簡易な構造でケースと天井面との間、及び、ケースとカバーとの間の気密性を得ることを目的とする。
【課題を解決するための手段】
【０００４】
本発明に係る照明器具は、例えば、取付面に対して埋め込まれて取付されるケースと、上記ケースの開口部を覆うように着脱可能に取付けられるカバーとを備える照明器具において、上記ケースの上記開口部側の端部であるケース枠の周囲に装着し、上記取付面と上記ケースとの間のパッキン及び上記ケースと上記カバーとの間のパッキンを兼ねる一本のパッキンを備えることを特徴とする。
【発明の効果】
【０００５】
本発明に係る照明器具は、ケースと天井面との間、及び、ケースとカバーとの間を１本のパッキンにより塞ぐことができる。したがって、部品点数を減らすことができる。また、接着面も少なくなり、気密性を高めることができる。
【発明を実施するための最良の形態】
【０００６】
以下、図に基づき本発明の実施の形態について説明する。
【０００７】
実施の形態１．
まず、実施の形態１について説明する。実施の形態１では、天井面４に対して埋め込まれて取付けられるケース２と天井面４との間、及び、ケース２とケース２の開口部を覆うように着脱可能に取付けられるカバー３との間に取り付けられる気密性確保を目的とした１本のパッキンについて説明する。
【０００８】
図１は、従来のパッキン９０，９１を備える照明器具と実施の形態１に係るパッキン１を備える照明器具とを示す図である。図１の（ａ）は、従来のパッキン９０，９１を備える照明器具を従来のパッキン９０，９１とケース２とカバー３とに分解した状態を示す斜視図である。また、図１の（ｂ）は、実施の形態１に係るパッキン１を備える照明器具をパッキン１とケース２とカバー３とに分解した状態を示す斜視図である。図２は、図１のＡ方向（真上方向）から見たケース２を示す図である。図２の斜線部はパッキン１を示し、ケース枠５が識別できるように透明性を持たせて示す。また、ケース枠５の１つの角部分において、パッキン１が取付けられていないケース枠５の状態を示す。
ここでは、図１に示すように、（ａ）と（ｂ）とのどちらのケース２も略直方体に形成された箱型であるとする。また、（ａ）と（ｂ）とのどちらのケース２も、ケースの開口部側の端部の周囲に設けられたケース枠５を天井面４に当接して取り付けられるものとする。さらに、（ａ）と（ｂ）とのどちらのカバー３も、ケース枠５の天井面に当接する面の反対の面に当接して取り付けられるものとする。
（ａ）に示す従来のパッキン９０，９１は、天井面４と当接するケース枠５の各面にそれぞれ直線状に形成された短冊状のパッキン９０が取り付けられる。同様に、カバー３と当接するケース枠５の各面にそれぞれ直線状に形成された短冊状のパッキン９１が取り付けられる。つまり、ケース２が略直方体に形成されているため、天井面４と当接するケース枠５の面は４箇所あり、カバー３と当接するケース枠５の面も４箇所ある。したがって、パッキン９０、パッキン９１はそれぞれ４個ずつ、合計８個が必要である。また、天井面４と当接するケース枠５の面に取り付けられるパッキン９０は、４箇所の接着箇所があり、カバー３と当接するケース枠５の面に取り付けられるパッキン９１は、４箇所の接着箇所がある。つまり、合計８箇所の接着箇所がある。
一方、（ｂ）に示す実施の形態１にかかるパッキン１は、ケース枠５の天井面４と当接するケース枠５の面とカバー３と当接するケース枠５の面との両面に取り付けられる。つまり、パッキン１の断面は例えば略コ字状、略凹状であり、ケース枠５を挟み込むように取り付けられる。すなわち、パッキン１は、ケース枠５の天井面４と当接するケース枠５の面に取り付けられるパッキンとカバー３と当接するケース枠５の面に取り付けられるパッキンとを兼ねる。また、パッキン１は、天井面４と当接するケース枠５の４箇所の面とカバー３と当接するケース枠５の４箇所の面とを１本ですべて覆う。つまり、パッキン１は、環を形成するようにケース枠５の周囲に取り付けられる。したがって、１本のパッキン１のみで全ての面を覆うことができる。また、接着箇所は、パッキン１の始点と終点との１点のみである。なお接着ではなくパッキン１の始点と終点とを溶着してもよい。
【０００９】
実施の形態１に係るパッキン１によれば、１本のパッキン１により天井面４とケース枠５、ケース枠５とカバー３との間を密閉することができる。また、１本のパッキンのみ使用するため、接着箇所も１箇所のみにすることができる。したがって、部品点数、貼付け工数および接着工数が削減され、安価な構造でかつ気密性能が確保できる。
【００１０】
実施の形態２．
次に、実施の形態２について説明する。実施の形態２では、パッキン１の形状について説明する。
【００１１】
図３は、ケース枠５にパッキンを取り付けた状態のケース２とカバー３とのＢ方向から見た側面図である。図３は、ケース２の内部が透けて見えている状態を示している。
ケース２は、天井面４に設けられた取付穴に埋め込まれ、天井裏の梁などに吊ボルト８によって固定される。この際、ケース枠５に取り付けられたパッキン１が天井面４と当接する。また、カバー３は、カバー３が有する保持バネ１０をケース２が有するバネ保持金具９に取り付け、保持バネ１０の弾性によりケース２に取り付けられる。この際、ケース枠５に取り付けられたパッキン１がカバー３と当接する。
【００１２】
図４は、ケース２が天井面４に設けられた取付穴に埋め込まれ吊ボルト８によって固定され、さらに、カバー３が保持バネ１０によりケース２に取り付けられた状態の側面片側断面図及び一部拡大図である。図４において、Ｄ−Ｄ’の左側が側面図であり、Ｄ−Ｄ’の右側が図２のＣ−Ｃ’断面図である。また、図４において、吹き出しになっている部分は、Ｅ部分の拡大図である。図５は、パッキン１についての図１のＦ−Ｆ’断面図である。
点灯装置６やランプ７などが取り付けられたケース２は、上述したように吊ボルト８により梁などに固定される。また、カバー３はバネ保持金具９によりケース２に取り付けられる。パッキン１の断面は、拡大図に示すように、略コ字状等であり、ケース枠５を挟むように取り付けられる。そして、ケース枠５に取り付けられたパッキン１は、天井面４と当接する取付面接触部１１と、カバー３と当接するカバー接触部１２とを備える。ここで、天井面４へのパッキンの密着性は、吊ボルト８の引き上げ力により左右される。吊ボルト８の引き上げ力は、例えば、６００Ｎ／本と大きい。したがって、ゴムの変形を少なくするため、取付面接触部１１は、面で天井面４及びケース枠５と接触する。一方、カバー３へのパッキンの密着性は、保持バネ１０の引き上げ力により左右される。保持バネ１０の引き上げ力は、例えば、３０〜４０Ｎ／本と小さい。したがって、気密性を確保するため、カバー接触部１２は、線でカバー３と接触する。ここでは、カバー接触部１２は、断面が略円状に形成され円周の１点でカバー３と接触する。
また、図５に示すように、パッキン１は、天井面４との接触部である取付面接触部１１から、取付面接触部１１とカバー接触部１２との間を繋ぐ背部へ肩部１３を備える。図４の拡大図に示すように、肩部１３は、天井面との間に空間を形成するように取付面接触部１１から肩部１３へ所定の傾斜を有するテーパー状に設けられる。これにより、照明器具を天井面４に取り付けした後、天井面４とパッキン１との間をコーキングする場合に、コーキング材が垂れずらい。
【００１３】
図６は、カバー接触部１２の形状の他の例を示す図である。図６は、カバー接触部１２を先鋭に形成した例である。
図６に示すように、カバー接触部１２を先鋭に形成した場合であっても、カバー３とは線で接触する。また、カバー接触部１２の先端部分の角度をより鋭角に形成することで、弱い引き上げ力でも気密性を高めることができる。
【００１４】
図７は、肩部１３の形状の他の例を示す図である。図７は、取付面接触部１１と平行に肩部１３を形成した例である。
図５に示す肩部１３は、取付面接触部１１から背部へテーパー状に形成されていたため、コーキング材が垂れずらい。しかし、図７に示す例では、肩部１３が平らであるため、コーキング材は垂れない。しかし、肩部１３の深さＨ１はコーキング材が垂れるため、肩部１３の深さＨ１を浅く形成するとよりよい。
【００１５】
実施の形態３．
次に、実施の形態３について説明する。実施の形態３では、ケース枠５のコーナー部でしわのよらないパッキンの形状について説明する。
【００１６】
図８は、ケース枠５のコーナー部のパッキン１を示す図である。図８において、破線は、ケース枠５の端部を示す。
図８に示すように、ケース枠５は、コーナーの部分であるコーナー部が弧状（円弧状）に形成されている。パッキン１は、ケース枠５のコーナー部において取付面接触部１１の幅（コーナー部のかかり代の幅Ｌ）を、他の部分の幅に比べ小さくしている。ここで、かかり代とは、ケース枠５の天井面４側の面とパッキン１とが接触する幅である（図４の拡大図参照）。これは、ケース枠５のコーナー部では、パッキンを曲げて取り付ける必要があるが、気密性に影響をおよぼすしわを発生させないためである。
ケース枠５のコーナー部のかかり代の幅Ｌが小さいほどしわが発生しにくくなる。しかし、ケース枠５のコーナー部のかかり代の幅Ｌが小さいと天井面との接触面積が小さくなり、気密性を低下させるおそれがある。そこで、ケース枠５のコーナー部のかかり代の幅Ｌをできるだけ大きくしつつ、しわのよらない幅とする必要がある。ここで、ケース枠５のコーナー部のかかり代の幅Ｌは、ケース枠５のコーナー部の弧の半径Ｒとの関係において、例えば、Ｌ≦Ｒ／２とすればよりしわがよりずらくなる。しかし、これに限定されるわけではなく、Ｌ≦Ｒ／３とすれば、しわがよることを所定程度防止しつつ、気密性を高めることが可能である。
【図面の簡単な説明】
【００１７】
【図１】従来のパッキンを備える照明器具と実施の形態１に係るパッキンを備える照明器具とを示す図。
【図２】図１のＡ方向から見たケース２を示す図。
【図３】ケース枠５にパッキンを取り付けた状態のケース２とカバー３とのＢ方向から見た側面図。
【図４】ケース２が天井面４に設けられた取付穴に埋め込まれ吊ボルト８によって固定され、さらに、カバー３が保持バネ１０によりケース２に取り付けられた状態の側面片側断面図及び一部拡大図。
【図５】パッキン１についての図１のＦ−Ｆ’断面図。
【図６】カバー接触部１２の形状の他の例を示す図。
【図７】肩部１３の形状の他の例を示す図。
【図８】ケース枠５のコーナー部のパッキン１を示す図。
【符号の説明】
【００１８】
１  パッキン、２  ケース、３  カバー、４  天井面、５  ケース枠、６  点灯装置、７  ランプ、８  吊ボルト、９  バネ保持金具、１０  保持バネ、１１  取付面接触部、１２  カバー接触部、１３  肩部、９０，９１  従来のパッキン。
【図１】
2007273147.tif 000003
【図２】
2007273147.tif 000004
【図３】
2007273147.tif 000005
【図４】
2007273147.tif 000006
【図５】
2007273147.tif 000007
【図６】
2007273147.tif 000008
【図７】
2007273147.tif 000009
【図８】
2007273147.tif 000010